(57)【要約】【課題】表示可能文字数が制限された車載機器用表示装置において、ユーザが得たい情報を容易に表示可能にすること。【解決手段】車載機器用表示装置１０の外面には、車載機器への操作に用いられる複数の操作ボタン２０４と、所定数の文字を表示可能なモニタ２０２と、インジケータランプ２０６が設けられている。車載機器用表示装置１０は、文字情報を取得すると、文字情報をモニタ２０２に表示可能な文字数ごとに分割し、分割したそれぞれの文字列の識別情報に対応するインジケータランプ２０６を点灯させる。ユーザがいずれかの操作ボタン２０４を押下すると、押下された操作ボタン２０４に関連づけられた文字列をモニタ２０２に表示させる。【選択図】図１
2014137765.tif 000002
【特許請求の範囲】
【請求項１】
車載機器に設けられ、文字情報を表示する車載機器用表示装置であって、
前記車載機器への操作に用いられ、所定の操作単位で操作がおこなわれる操作手段と、
所定数の文字を表示可能な表示手段と、
前記文字情報を取得する文字列情報取得手段と、
前記文字情報を前記表示手段に表示可能な文字数ごとに分割し、分割したそれぞれの文字列に識別情報を付与する分割手段と、
それぞれの前記識別情報に対応する指示表示を、前記操作手段の操作単位と関連付けて表示する指示表示手段と、
前記操作手段に対する操作を検知し、当該操作と関連付けられた前記識別情報が付与された前記文字列を前記表示手段に表示させる表示制御手段と、
を備えることを特徴とする車載機器用表示装置。
【請求項２】
前記操作手段は複数の操作ボタンであり、前記操作単位はそれぞれの前記操作ボタンの押下であり、
前記指示表示手段はそれぞれの前記操作ボタンに対応して前記指示表示を表示し、
前記表示制御手段は押下された前記操作ボタンと関連づけられた前記識別情報が付与された前記文字列を前記表示手段に表示させることを特徴とする請求項１に記載の車載機器用表示装置。
【請求項３】
前記操作手段は所定の単位回転量を有するダイヤルスイッチであり、前記操作単位は前記単位回転量での前記ダイヤルスイッチの回転であり、
前記指示表示手段はそれぞれの前記単位回転量に対応して前記指示表示を表示し、
前記表示制御手段は回転後の前記ダイヤルスイッチの位置と関連づけられた前記識別情報が付与された前記文字列を前記表示手段に表示させることを特徴とする請求項１に記載の車載機器用表示装置。
【請求項４】
前記指示表示は前記表示手段に表示されることを特徴とする請求項１から３のいずれか一つに記載の車載機器用表示装置。
【発明の詳細な説明】
【技術分野】
【０００１】
本発明は、車載機器に設けられ、文字情報を表示する車載機器用表示装置に関する。
【背景技術】
【０００２】
従来、カーオーディオなどの車載機器は、外面に表示装置（車載機器用表示装置）が設けられているものが一般的になっている。車載機器用表示装置に表示させる文字情報とは、たとえばＣＤ（Ｃｏｍｐａｃｔ  Ｄｉｓｃ）等の記憶メディアから再生されている楽曲のトラック番号情報、選局中のラジオ放送局の周波数情報などが挙げられる。また、このような文字情報として、ラジオ放送波などに多重されて配信される文字放送を表示したり、再生中の楽曲のタイトルやアーティスト名を表示することも可能である。
【０００３】
たとえば、下記特許文献１には、文字多重放送の電波を利用して外部の情報送信装置から送信された文字情報を受信する情報受信装置において、上記送信された文字情報を受信する受信手段と、該受信された文字情報を表示する表示手段と、該受信された文字情報を音声により出力する音声出力手段と、車両の停止状態，走行状態を検出する車両状態検出手段と、上記表示手段による表示内容の更新から上記車両状態検出手段による走行状態への変化の検出までの時間が所定時間より短い時は、上記受信した文字情報を音声出力手段により出力させる音声出力制御手段とを備えることにより、停車状態から走行状態に移行した時に文字放送の情報内容を容易に知ることができる情報受信装置が開示されている。
【先行技術文献】
【特許文献】
【０００４】
【特許文献１】特開平１１−１４５８６２号公報
【発明の概要】
【発明が解決しようとする課題】
【０００５】
車載機器用表示装置は、車両を運転中の運転者が長時間表示を注視しないように、表示可能文字数が制限されている場合がある。車載機器用表示装置に表示させる文字情報の文字数が表示可能文字数よりも多い場合、従来技術にかかる車載機器用表示装置では、たとえば表示可能文字数を超える文字情報は表示させないようにしたり、車載機器に設けられたアップ／ダウンボタンでページ送りさせることによって全ての文字情報を表示可能にしたりしていた。
【０００６】
しかしながら、上述した従来技術にかかる方法では、文字数の制限によってユーザが得たい情報を表示できなかったり、ユーザが得たい情報のページまで順次ページ送りしていくことしかできないため、ユーザが所望の情報を得ることが困難であるという問題点がある。
【０００７】
本発明は、上述した従来技術の問題点に鑑みてなされたものであり、表示可能文字数が制限された車載機器用表示装置において、ユーザが得たい情報を容易に表示可能にすることを目的とする。
【課題を解決するための手段】
【０００８】
上述した問題を解決し、目的を達成するため、請求項１の発明にかかる車載機器用表示装置は、車載機器に設けられ、文字情報を表示する車載機器用表示装置であって、前記車載機器への操作に用いられ、所定の操作単位で操作がおこなわれる操作手段と、所定数の文字を表示可能な表示手段と、前記文字情報を取得する文字列情報取得手段と、前記文字情報を前記表示手段に表示可能な文字数ごとに分割し、分割したそれぞれの文字列に識別情報を付与する分割手段と、それぞれの前記識別情報に対応する指示表示を、前記操作手段の操作単位と関連付けて表示する指示表示手段と、前記操作手段に対する操作を検知し、当該操作と関連付けられた前記識別情報が付与された前記文字列を前記表示手段に表示させる表示制御手段と、を備えることを特徴とする。
請求項２の発明にかかる車載機器用表示装置は、前記操作手段は複数の操作ボタンであり、前記操作単位はそれぞれの前記操作ボタンの押下であり、前記指示表示手段はそれぞれの前記操作ボタンに対応して前記指示表示を表示し、前記表示制御手段は押下された前記操作ボタンと関連づけられた前記識別情報が付与された前記文字列を前記表示手段に表示させることを特徴とする。
請求項３の発明にかかる車載機器用表示装置は、前記操作手段は所定の単位回転量を有するダイヤルスイッチであり、前記操作単位は前記単位回転量での前記ダイヤルスイッチの回転であり、前記指示表示手段はそれぞれの前記単位回転量に対応して前記指示表示を表示し、前記表示制御手段は回転後の前記ダイヤルスイッチの位置と関連づけられた前記識別情報が付与された前記文字列を前記表示手段に表示させることを特徴とする。
請求項４の発明にかかる車載機器用表示装置は、前記指示表示は前記表示手段に表示されることを特徴とする。
【発明の効果】
【０００９】
請求項１の発明によれば、文字情報を表示可能文字数に分割して、分割されたそれぞれの文字列と操作手段とを関連付けて表示し、操作された操作手段に関連づけられた文字列を表示する。これにより、ユーザは文字情報の所望の部分を容易に表示させることができる。特に、文字情報のフォーマットが予測可能な場合は、ユーザは所望の情報が文字情報内のどの位置にあるかを予測可能である。このため、所望の情報に対応することが予測される操作手段を操作することによって、順次ページ送りをする場合と比較して迅速に所望の情報を表示させることができる。
請求項２の発明によれば、複数の操作ボタンを分割後の文字列と対応づけ、押下された操作ボタンに対応する文字列を表示する。これにより、文字情報中の特定の部分を表示させる際に操作ミスを少なくすることができ、操作性を向上させることができる。
請求項３の発明によれば、ダイヤルスイッチの位置を分割後の文字列と対応づけ、回転後のダイヤルスイッチの位置に対応する文字列を表示する。ダイヤルスイッチの単位回転量は操作ボタンの個数よりも多く設定されている場合が多いので、操作ボタンと比較してより多くの文字列を表示可能にすることができる。
請求項４の発明によれば、指示表示が表示手段に表示されるので、指示表示用の表示部を新たに設ける必要がなく、スペースが限られた車室内を有効に活用できるとともに、設置コストを低減することができる。
【図面の簡単な説明】
【００１０】
【図１】実施の形態にかかる車載機器用表示装置１０の外観の一例を示す説明図である。
【図２】車載機器用表示装置１０の機能的構成を示すブロック図である。
【図３】分割手段１０８による文字情報の分割を説明するための説明図である。
【図４】車載機器用表示装置１０による処理の手順を示すフローチャートである。
【図５】車載機器用表示装置１０の他の構成例を示す説明図である。
【発明を実施するための形態】
【００１１】
以下に添付図面を参照して、本発明にかかる車載機器用表示装置の好適な実施の形態を詳細に説明する。本実施の形態では、車載機器の一例であるカーオーディオ装置に設けられた車載機器用表示装置を例にして説明する。
【００１２】
（実施の形態）
図１は、実施の形態にかかる車載機器用表示装置１０の外観の一例を示す説明図である。車載機器用表示装置１０は、カーオーディオ装置などの車載機器に設けられた表示装置であり、車両のダッシュボート等、運転席や助手席から視認可能な位置に設置される。車載機器用表示装置１０は、表示手段であるモニタ２０２と、操作手段である選択ボタン２０４（２０４ａ〜２０４ｆ）と、それぞれの選択ボタン２０４ａ〜２０４ｆに対応する指示表示手段であるインジケータランプ２０６（２０６ａ〜２０６ｆ）と、音量調整用ダイヤル２０８と、ディスプレイボタン２１０と、をその車室側表面に備えている。
【００１３】
モニタ２０２は、車載機器の稼働状態を示す文字情報や放送波などと共に受信した文字情報などを表示する。車載機器の稼働状態を示す文字情報とは、たとえばＣＤ等の記憶メディアから再生されている楽曲のトラック番号情報、選局中のラジオ放送局の周波数情報、音量調整時における現在音量値情報などである。また、モニタ２０２には、再生中の楽曲のタイトルやアーティスト名、収録アルバム名など（以下、「楽曲情報」という）が表示されてもよい。これらの楽曲情報は、再生中の楽曲が記録された記録メディアに記録されている。また、ラジオ放送などを受信している場合、ラジオ放送波に多重して配信される楽曲情報を受信してもよい。さらに、ラジオ放送の放送内容とは関係のないニュースや交通情報などをラジオ放送波に多重して配信する文字放送を受信してモニタ２０２に表示させてもよい。
【００１４】
モニタ２０２は、表示性能または運転中の運転者が画面を注視することを回避するために、一時期に表示可能な文字数が限られている。本実施の形態では、モニタ２０２の表示可能文字数を７文字とする。なお、本実施の形態ではモニタ２０２に表示される情報が文字情報である場合についてのみ説明するが、モニタ２０２には画像や動画など文字情報以外の情報が表示可能であってもよい。
【００１５】
選択ボタン２０４（２０４ａ〜２０４ｆ）は、ラジオ放送受信時にプリセットされた放送局の周波数に受信周波数を合わせる場合や複数の記録メディアから再生したい記録メディアを選択する際に用いられる。本実施の形態では、選択ボタン２０４はボタン１（２０４ａ）〜ボタン６（２０４ｆ）の６つ設けられているものとする。
【００１６】
インジケータランプ２０６（２０６ａ〜２０６ｆ）は、それぞれの選択ボタン２０４ａ〜２０４ｆに対応して設けられ、いずれの選択ボタン２０４が選択可能であるかを表示する。本実施の形態では、インジケータランプ２０６は選択ボタン２０４の上部に設けたランプである。たとえば、ラジオ放送受信時にプリセットされた放送局が５つであれば、ボタン１（２０４ａ）〜ボタン５（２０４ｄ）が点灯する。
【００１７】
なお、図５Ａに示すように、インジケータランプ２０６をモニタ２０２に表示してもよい。すなわち、モニタ２０２のうち選択ボタン２０４に近接した領域にインジケータランプ２０６を表示するようにしてもよい。これにより、インジケータランプ２０６を新たに設ける必要がなく、また、限られた車室空間を有効に活用することができる。なお、図５Ａのような構成にする場合、モニタ２０２は２行以上の表示領域を有することが望ましい。また、選択ボタン２０４の数字部（選択ボタン２０４の識別情報表示）を点灯可能にしてインジケータランプ２０６に代えてもよい。
【００１８】
また、図５Ｂに示すように、操作手段として選択ボタン２０４に代えて（または選択ボタン２０４と共に）ダイヤルスイッチ２２２を設けてもよい。ダイヤルスイッチ２２２は、ポインタＰを所望の位置に動かすことによって操作をおこなう。図５Ｂには、ダイヤルスイッチ２２２の可動域に１〜９の数値メータが等間隔に割り当てられており、各数値間の距離を「単位回転量」という。すなわち、ポインタＰの位置を現在の位置から＋１または‐１の位置に移動させることが、「単位回転量でのダイヤルスイッチ２２２の回転」となる。また、図５Ｂでは、ダイヤルスイッチ２２２の近傍に、各数値１〜９に対応するインジケータランプ２２４が設けられており、ダイヤルスイッチ２２２で選択可能な数値に対応するインジケータランプ２２４のみが点灯するようになっている。
【００１９】
図１の説明に戻り、音量調整用ダイヤル２０８は、図示しないスピーカから出力する音量を調整するためのダイヤルであり、ダイヤルスイッチ２２２と同様に、ポインタＰを所望の位置に動かすことによって操作をおこなう。
【００２０】
ディスプレイボタン２１０は、車載機器用表示装置１０における表示の切り替え操作をおこなう際に押下するボタンである。すなわち、ディスプレイボタン２１０が押下されていない状態（通常モード）で選択ボタン２０４が押下された場合、車載機器は当該操作に従って車載機器の稼働状態を変更する。具体的には、たとえばラジオ放送の受信周波数の変更などをおこなう。一方、ディスプレイボタン２１０が押下された状態（表示切替モード）で選択ボタン２０４が押下された場合、車載機器は当該操作に従ってモニタ２０２の表示を変更する。詳細は後述するが、具体的には押下された選択ボタン２０４に対応する文字列をモニタ２０２に表示する。
【００２１】
なお、車載機器用表示装置１０における表示は、図示しない車載機器内のマイクロコンピュータによって制御される。このマイクロコンピュータは、ＣＰＵ、制御プログラムなどを格納・記憶するＲＯＭ、制御プログラムの作動領域としてのＲＡＭ、各種データを書き換え可能に保持するＥＥＰＲＯＭ、周辺回路等とのインターフェースをとるインターフェース部などを含んで構成される。
【００２２】
図２は、車載機器用表示装置１０の機能的構成を示すブロック図である。車載機器用表示装置１０は、機能的には操作手段１０２、表示手段１０４、文字情報取得手段１０６、分割手段１０８、指示表示手段１１０、表示制御手段１１２によって構成される。
【００２３】
操作手段１０２は、図１の選択ボタン２０４に対応し、車載機器への操作に用いられ、所定の操作単位で操作がおこなわれる。操作手段１０２が図１の選択ボタン２０４のような複数の操作ボタンである場合、操作単位とは特定の操作ボタンの押下のことを指す。また、操作手段１０２が図５Ｂに示すような所定の単位回転量を有するダイヤルスイッチ２２２である場合、操作単位とは単位回転量でのダイヤルスイッチの回転である。なお、操作手段１０２における操作単位は、各操作単位の並び順が容易に識別できることが好ましい。具体的には、図１に示す選択ボタン２０４のように通し番号が付与されていたり、図５Ｂに示すダイヤルスイッチ２２２のようにポインタＰの位置に対して数値メータが付与されていることが好ましい。
【００２４】
表示手段１０４は、図１のモニタ２０２に対応し、所定数の文字を表示可能である。
文字情報取得手段１０６は、車載機器のマイクロコンピュータおよび通信インターフェースに対応し、表示手段１０４に表示させる文字情報を取得する。たとえば、文字情報取得手段１０６は、再生中の記録メディアから再生中（または再生待機中の）楽曲の楽曲情報を読み出すことによって文字情報を取得する。また、文字情報取得手段１０６は、たとえばラジオ放送波に多重されて配信される文字放送を受信することによって文字情報を取得する。
【００２５】
分割手段１０８は、車載機器のマイクロコンピュータに対応し、文字情報を表示手段１０４に表示可能な文字数ごとに分割し、分割したそれぞれの文字列に識別情報を付与する。
図３は、分割手段１０８による文字情報の分割を説明するための説明図である。図３Ａには、Ａ〜Ｑの１７文字からなる文字情報Ｔ０が示されている。上述のように、本実施の形態では、モニタ２０２の表示可能文字数は７文字であるため、分割手段１０８は、文字情報Ｔ０を７文字ずつの文字列に分割する。この結果、文字情報Ｔ０は、図３Ｂに示すような、７文字の文字列Ｔ１、７文字の文字列Ｔ２、３文字の文字列Ｔ３に分割される。分割手段１０８は、さらに分割した各文字列に対して識別情報を付与する。図３Ｃの例では、文字列Ｔ１に対して識別情報ＩＤ１、文字列Ｔ２に対して識別情報ＩＤ２、文字列Ｔ３に対して識別情報ＩＤ３が、それぞれ付与される。なお、このとき各文字列に付与される識別情報は、数値などの文字列間の順序が判別できる情報が好ましい。
【００２６】
図２の説明に戻り、指示表示手段１１０は、車載機器のマイクロコンピュータおよび図１のインジケータランプ２０６に対応し、それぞれの識別情報に対応する指示表示を、操作手段１０２の操作単位と関連付けて表示する。操作手段１０２が図１に示す選択ボタン２０４のような複数の操作ボタンである場合、指示表示手段１１０はそれぞれの操作ボタンに対応して設けられた指示表示であるインジケータランプ２０６を点灯させる。また、操作手段１０２が図５Ｂに示すダイヤルスイッチ２２２である場合、指示表示手段１１０はそれぞれの単位回転量に対応した指示表示であるインジケータランプ２２４を表示する。
【００２７】
たとえば図３に示したように文字情報Ｔ０を識別情報ＩＤ１〜ＩＤ３からなる文字列Ｔ１〜Ｔ３に分割した場合、識別情報に対応する指示表示とは、３つの選択ボタン２０４に対応するインジケータランプ２０６であり、通常はボタン１（２０４ａ）に対応するインジケータランプ２０６ａ、ボタン２（２０４ｂ）に対応するインジケータランプ２０６ｂ、ボタン３（２０４ｃ）に対応するインジケータランプ２０６ｃとなる。また、操作手段１０２がダイヤルスイッチ２２２である場合は、ダイヤルスイッチ２２２上の３つの数値に対応するインジケータランプ２２４であり、通常は数値１に対応するインジケータランプ２２４、数値２に対応するインジケータランプ２２４、数値３に対応するインジケータランプ２２４となる。
【００２８】
表示制御手段１１２は、車載機器のマイクロコンピュータに対応し、操作手段１０２に対する操作を検知し、当該操作と関連付けられた識別情報が付与された文字列を表示手段１０４に表示させる。具体的には、たとえばボタン１（２０４ａ）が押下された場合には識別情報ＩＤ１の文字列を、ボタン２（２０４ｂ）が押下された場合には識別情報ＩＤ２の文字列を、ボタン３（２０４ｃ）が押下された場合には識別情報ＩＤ３の文字列を、それぞれモニタ２０２に表示させる。また、操作手段１０２がダイヤルスイッチ２２２である場合は、ダイヤルスイッチ２２２のポインタＰが数値１の位置に合わせられた場合には識別情報ＩＤ１の文字列を、数値２の位置に合わせられた場合には識別情報ＩＤ２の文字列を、数値３の位置に合わせられた場合には識別情報ＩＤ３の文字列を、それぞれモニタ２０２に表示させる。
【００２９】
図４は、車載機器用表示装置１０による処理の手順を示すフローチャートである。なお、分割手段１０８は、あらかじめ表示手段１０４の表示可能文字数を記憶しているものとする。まず、文字情報取得手段１０６によって表示手段１０４に表示する文字情報を取得するまで待機する（ステップＳ４０１：Ｎｏのループ）。文字情報を取得すると（ステップＳ４０１：Ｙｅｓ）、分割手段１０８は、文字情報の文字数が表示可能文字数を超えているか否かを判断する（ステップＳ４０２）。
【００３０】
文字情報の文字数が表示可能文字数を超えていない場合（ステップＳ４０２：Ｎｏ）、表示制御手段１１２は、取得した文字情報を表示手段１０４に全文表示して（ステップＳ４０３）、本フローチャートによる処理を終了する。
【００３１】
一方、文字情報の文字数が表示可能文字数を超えている場合（ステップＳ４０２：Ｙｅｓ）、分割手段１０８は、文字情報を表示可能文字数ごとに分割し（ステップＳ４０４）、分割されたそれぞれの文字列に対して識別情報を付与する（ステップＳ４０５）。つぎに、車載機器用表示装置１０は、指示表示手段１１０によって、それぞれの識別情報に対応する指示表示を、操作手段１０２の操作単位と関連付けて表示する（ステップＳ４０６）。すなわち、分割された文字列の数に対応したインジケータランプ２０６（２２４）を点灯させる。
【００３２】
車載機器用表示装置１０は、操作手段１０２（より詳細には指示表示手段１１０が表示された操作手段１０２）に対して操作がおこなわれるまで待機して（ステップ４０７：Ｎｏのループ）、操作がおこなわれると、当該操作手段１０２に対応する識別情報の文字列を表示手段１０４に表示させる（ステップＳ４０８）。車載機器用表示装置１０は、所定の文字情報表示終了操作がおこなわれるまでは（ステップＳ４０９：Ｎｏ）、ステップＳ４０６に戻り、以降の処理を繰り返す。ユーザは所望の文字情報がすべて得られるまで、操作手段１０２への操作により、表示する文字列を切り替える。そして、文字情報表示終了操作がおこなわれると（ステップＳ４０９：Ｙｅｓ）、本フローチャートによる処理を終了する。
【００３３】
以上説明したように、実施の形態にかかる車載機器用表示装置１０は、文字情報を表示可能文字数に分割して、分割されたそれぞれの文字列と操作手段１０２とを関連付けて表示し、操作された操作手段１０２に関連づけられた文字列を表示する。これにより、ユーザは文字情報の所望の部分を容易に表示させることができる。特に、文字情報のフォーマットが予測可能な場合は、ユーザは所望の情報が文字情報内のどの位置にあるかを予測可能である。このため、所望の情報に対応することが予測される操作手段１０２を操作することによって、順次ページ送りをする場合と比較して迅速に所望の情報を表示させることができる。
【００３４】
車載機器用表示装置１０において、複数の選択ボタン２０４を分割後の文字列と対応づけ、押下された選択ボタン２０４に対応する文字列を表示するようにすれば、文字情報中の特定の部分を表示させる際に操作ミスを少なくすることができ、操作性を向上させることができる。また、車載機器用表示装置１０において、ダイヤルスイッチ２２２の位置を分割後の文字列と対応づけ、回転後のダイヤルスイッチ２２２の位置に対応する文字列を表示するようにしてもよい。ダイヤルスイッチ２２２の単位回転量（数値）は選択ボタン２０４の個数よりも多く設定されている場合が多いので、操作ボタンと比較してより多くの文字列を表示可能にすることができる。
【００３５】
また、車載機器用表示装置１０において、図５Ａのようにインジケータランプ２０６（指示表示）をモニタ２０２（表示手段）に表示するようにすれば、指示表示用の表示部を新たに設ける必要がなく、スペースが限られた車室内を有効に活用できるとともに、設置コストを低減することができる。
【符号の説明】
【００３６】
１０……車載機器用表示装置、１０２……操作手段、１０４……表示手段、１０６……文字情報取得手段、１０８……分割手段、１１０……指示表示手段、１１２……表示制御手段、２０２……モニタ、２０４（２０４ａ〜２０４ｆ）……選択ボタン、２０６（２０６ａ〜２０６ｆ）……インジケータランプ、２０８……音量調整用ダイヤル、２１０……ディスプレイボタン、２２２……ダイヤルスイッチ、２２４……インジケータランプ、Ｐ……ポインタ。
【図１】
2014137765.tif 000003
【図２】
2014137765.tif 000004
【図３】
2014137765.tif 000005
【図４】
2014137765.tif 000006
【図５】
2014137765.tif 000007